(57)【要約】  起動時にコンピュータシステムを設定するためのグラフィカルユーザインターフェイス（ＧＵＩ）を提供する。ＧＵＩは、第１の複数の画面上選択可能アイコンを含むことができ、呼び出し時にプロセッサに関連設定機能を実行させる少なくとも１つのそれぞれの設定手順に、この第１の複数の画面上選択可能アイコンの各々を関連付けることができる。ＧＵＩは、第１の複数の画面上選択可能アイコンの１つのユーザ選択に応答して、この第１の複数の画面上選択可能アイコンの１つを識別する第１の視覚インジケータをさらに含む。第１の複数の画面上選択可能アイコンの１つのユーザ選択に関連する設定手順の完了を識別するために、第２の視覚インジケータを使用することができる。ＧＵＩはまた、第１の複数の画面上選択可能アイコンの間でナビゲーションを行うための、選択を取り消すための、及び起動ユーザ体験を終了するための複数の画面上ナビゲーションアイコンも含む。【選択図】図２Ｂ
2011507097.tif 000002
【特許請求の範囲】
【請求項１】
起動時にコンピュータシステムを設定するためのグラフィカルユーザインターフェイス（ＧＵＩ）であって、
呼び出し時にプロセッサに関連設定機能を実行させる少なくとも１つのそれぞれの設定手順に各々が関連付けられた第１の複数の画面上選択可能アイコンと、
前記第１の複数の画面上選択可能アイコンの１つのユーザ選択に応答して、該第１の複数の画面上選択可能アイコンの１つを識別する第１の視覚インジケータと、
前記第１の複数の画面上選択可能アイコンの前記１つの前記ユーザ選択に関連する設定手順の完了を識別する第２の視覚インジケータと、
前記第１の複数の画面上選択可能アイコンを通じてナビゲーションを行うための、選択を取り消すための、及び起動ユーザ体験を終了するための複数の画面上ナビゲーションアイコンと、
を含むことを特徴とするＧＵＩ。
【請求項２】
前記第１の複数の画面上選択可能アイコンの１つの前記ユーザ選択に関連し各々が共通の設定手順の種類に関連する第２の複数の画面上選択可能アイコンをさらに含む、
ことを特徴とする請求項１に記載のＧＵＩ。
【請求項３】
前記第２の複数の画面上選択可能アイコンの１つのユーザ選択に応答して、該第２の複数の画面上選択可能アイコンの１つを識別する第３の視覚インジケータをさらに含む、
ことを特徴とする請求項２に記載のＧＵＩ。
【請求項４】
前記第３の視覚インジケータが前記第１の視覚インジケータと同じものである、
ことを特徴とする請求項３に記載のＧＵＩ。
【請求項５】
前記第２の複数の画面上選択可能アイコンの１つの前記ユーザ選択に関連する設定手順の完了を識別する第３の視覚インジケータをさらに含む、
ことを特徴とする請求項２に記載のＧＵＩ。
【請求項６】
前記第３の視覚インジケータが前記第２の視覚インジケータと同じものである、
ことを特徴とする請求項５に記載のＧＵＩ。
【請求項７】
前記第１の視覚インジケータ及び前記第２の視覚インジケータが、点滅アイコン、強調表示アイコン、アイコン内の太字テキスト、アイコン内のテキストフォントの変更、及び前記第１の複数の画面上選択可能アイコンの直近のチェックマークからなる群から選択される、
ことを特徴とする請求項１に記載のＧＵＩ。
【請求項８】
コンピュータシステムであって、
バスに結合されたプロセッサと、
前記バスに結合されるとともに、前記プロセッサが起動時に前記コンピュータシステムを設定するためのグラフィカルユーザインターフェイス（ＧＵＩ）を実現すべく実行するための命令及びデータを記憶するためのメモリと、
前記メモリに記憶された複数の設定手順と、
を備え、前記ＧＵＩが、
呼び出し時に前記プロセッサに関連設定機能を実行させる少なくとも１つのそれぞれの設定手順に各々が関連付けられた第１の複数の画面上選択可能アイコンと、
前記第１の複数の画面上選択可能アイコンの１つのユーザ選択に応答して、該第１の複数の画面上選択可能アイコンの１つを識別する第１の視覚インジケータと、
前記第１の複数の画面上選択可能アイコンの前記１つの前記ユーザ選択に関連する起動時設定手順の完了を識別する第２の視覚インジケータと、
前記第１の複数の画面上選択可能アイコンを通じてナビゲーションを行うための、選択を取り消すための、及び前記起動用の前記ＧＵＩを終了するための複数の画面上ナビゲーションアイコンと、
を含む、
ことを特徴とするコンピュータシステム。
【請求項９】
前記ＧＵＩが、前記第１の複数の画面上選択可能アイコンの１つの前記ユーザ選択に関連し各々が共通の設定手順の種類に関連する第２の複数の画面上選択可能アイコンをさらに含む、
ことを特徴とする請求項８に記載のコンピュータシステム。
【請求項１０】
前記ＧＵＩが、前記第２の複数の画面上選択可能アイコンの１つのユーザ選択に応答して、該第２の複数の画面上選択可能アイコンの１つを識別する第３の視覚インジケータをさらに含む、
ことを特徴とする請求項９に記載のコンピュータシステム。
【請求項１１】
前記第３の視覚インジケータが前記第１の視覚インジケータと同じものである、
ことを特徴とする請求項１０に記載のコンピュータシステム。
【請求項１２】
前記ＧＵＩが、前記第２の複数の画面上選択可能アイコンの１つの前記ユーザ選択に関連する起動時設定手順の完了を識別する第３の視覚インジケータをさらに含む、
ことを特徴とする請求項９に記載のコンピュータシステム。
【請求項１３】
前記第３の視覚インジケータが前記第２の視覚インジケータと同じものである、
ことを特徴とする請求項１２に記載のコンピュータシステム。
【請求項１４】
前記第１の視覚インジケータ及び前記第２の視覚インジケータが、点滅アイコン、強調表示アイコン、アイコン内の太字テキスト、アイコン内のテキストフォントの変更、及び前記第１の複数の画面上選択可能アイコンの直近のチェックマークからなる群から選択される、
ことを特徴とする請求項８に記載のコンピュータシステム。
【請求項１５】
実行時に、起動時にパーソナルコンピュータ（ＰＣ）を設定するためのグラフィカルユーザインターフェイス（ＧＵＩ）を表示するための方法を実施する命令を含むコンピュータ可読媒体であって、前記方法が、
呼び出し時にプロセッサに関連設定機能を実行させる少なくとも１つのそれぞれの起動時設定手順に各々が関連付けられた第１の複数の画面上選択可能アイコンを表示するステップと、
前記第１の複数の画面上選択可能アイコンの１つのユーザ選択に応答して、該第１の複数の画面上選択可能アイコンの１つを識別する第１の視覚インジケータを表示するステップと、
前記第１の複数の画面上選択可能アイコンの前記１つの前記ユーザ選択に関連する起動時設定手順の完了に応答して、該設定手順の完了を識別する第２の視覚インジケータを表示するステップと、
前記第１の複数の画面上選択可能アイコンを通じてユーザナビゲーションを行うための、選択を取り消すための、及び起動ユーザ体験を終了するための複数の画面上ナビゲーションアイコンを表示するステップと、
を含む、
ことを特徴とするコンピュータ可読媒体。
【請求項１６】
前記方法が、前記第１の複数の画面上選択可能アイコンの１つの前記ユーザ選択に関連し各々が共通の設定手順の種類に関連する第２の複数の画面上選択可能アイコンを表示するステップをさらに含む、
ことを特徴とする請求項１５に記載のコンピュータ可読媒体。
【請求項１７】
前記方法が、前記第２の複数の画面上選択可能アイコンの１つのユーザ選択に応答して、該第２の複数の画面上選択可能アイコンの前記１つの前記ユーザ選択を識別する第３の視覚インジケータを表示するステップをさらに含む、
ことを特徴とする請求項１６に記載のコンピュータ可読媒体。
【請求項１８】
前記第３の視覚インジケータが前記第１の視覚インジケータと同じものである、
ことを特徴とする請求項１７に記載のコンピュータ可読媒体。
【請求項１９】
前記方法が、前記第２の複数の画面上選択可能アイコンの１つの前記ユーザ選択に関連する起動時設定手順の完了を識別する第３の視覚インジケータを表示するステップをさらに含む、
ことを特徴とする請求項１６に記載のコンピュータ可読媒体。
【請求項２０】
前記第３の視覚インジケータが前記第２の視覚インジケータと同じものである、
ことを特徴とする請求項１５に記載のコンピュータ可読媒体。
【発明の詳細な説明】
【技術分野】
【０００１】
本発明の実施形態は、コンピュータシステムの分野に関する。より具体的には、本発明の実施形態は、起動時にパーソナルコンピュータを設定するための方法及びシステムに関する。
【０００２】
［関連出願との相互参照］
本出願は、２００７年１２月１４日に出願され、本出願と同じ譲受人に譲渡された、発明者Ｚｈａｎｇ他による「起動からのＰＣ設定体験の改善」という名称の、代理人整理番号第５０Ｘ９２７１．０１号を有する仮出願番号第６１／００７，６４７号に対する利益及び優先権を主張するものである。上記の仮出願は、その全体が本明細書に組み入れられる。
【背景技術】
【０００３】
一般にパーソナルコンピュータ（ＰＣ）は、最初の起動時に設定が行われる。例えば、インターネット、ｅメール等にアクセスするためにネットワーク接続を設定する必要がある。セキュリティ、ファイアウォール、アプリケーション、登録などのその他のＰＣの状態も同様に設定される。
【０００４】
最初の起動時には、複数のポップアップウィンドウを使用して、ＰＣを手動で設定することができる。例えば、複数のポップアップを使用して、ＰＣを設定するための一連の設定手順を通じてユーザを導くことができる。残念ながら、従来の方法におけるポップアップの提供は、これから完了させるべき設定処理と対比して完了した設定処理を追跡する能力に欠けている。従って、起動時におけるＰＣの設定は、特に初心者のコンピュータユーザにとって困難な作業となり得る。
【０００５】
さらに、従来の方法でポップアップウィンドウを使用して起動時にＰＣを設定することは系統性に欠け、この結果直感に頼ることができない。複数の関連しないポップアップを同時に表示することには系統性を認めることができず、これらのポップアップが関わる設定の種類に関する適切な情報がユーザに提供されない恐れがある。例えば、ファイアウォールの設定に１つのポップアップが使用され、ウィルス対策に第２のポップアップが使用されて、これらの両方がセキュリティに関わり、さらにネットワークに関する無線回線の設定に第３のポップアップが使用されることがある。セキュリティとネットワークには関連性がなく、特定の系統性を伴わないポップアップの提供が混乱を招く恐れがあることにより問題が生じる。
【０００６】
１つの従来の方法では、適切な設定手順を開始するために、ユーザが積極的にコントロールパネルへ進むように要求される場合がある。例えば、インターネットへのアクセスを得るために、コントロールパネルを使用してネットワークに参入し、これを設定することができる。残念ながら、起動時にコントロールパネルへ進み、適切な設定手順を開始することにより積極的にＰＣを設定するようにユーザに要求することは、特にこのような要求が分からない可能性のある初心者のコンピュータユーザにとって不便なものとなり得る。
【発明の概要】
【発明が解決しようとする課題】
【０００７】
従って、最初に起動を行う時などの起動時に、ＰＣを設定するためのユーザフレンドリーな方法を提供する必要性が生じている。より具体的には、起動時におけるＰＣの設定手順を系統化するコンピュータ化されたグラフィカルユーザインターフェイス（ＧＵＩ）を提供する必要性が生じている。当業者には、本発明の詳細な説明に照らして、本発明の実施形態が上述の必要性を満たすとともに上記の利点を提供することが明らかになろう。
【課題を解決するための手段】
【０００８】
１つの実施形態では、第１の複数の画面上選択可能アイコンを含むＧＵＩが起動時に提供される。この第１の複数の画面上選択可能アイコンの各々は、起動時におけるＰＣの少なくとも１つの設定手順を表す。従って、第１の複数の画面上選択可能アイコンの１つのアイコンのユーザ選択に応答して、ＰＣの状態を設定するための関連する設定手順をプロセッサにより開始することができる。第１の複数の画面上選択可能アイコンの各々は、所定の機能に関する設定手順をグループ化することができる。例えば、「ネットワーク接続」という選択可能アイコンにより、無線接続、ＬＡＮ接続、及びＤＳＬ接続を表すことができる。ＧＵＩは、例えば、１）第１の複数の画面上選択可能アイコンの間でナビゲーションを行うため、２）選択を取り消すため、３）保存するため、及び４）設定手順を終了するため、のナビゲーションアイコンをさらに含むことができる。
【０００９】
１つの実施形態によれば、アイコンを選択済みとして識別するために、ユーザが第１の複数の画面上選択可能アイコンの１つを選択したことに応答して第１の視覚インジケータを表示することができる。例えば、ユーザが画面上選択可能アイコンを選択した時に、この画面上選択可能アイコンを強調表示にすることができる。いくつかの実施形態では、選択済みの画面上アイコンを点滅し始めるようにすることができ、アイコン内のテキストを太字にすることができ、アイコン内のテキストのフォントを変更することができ、及び／又はアイコンの直近にチェックマークなどのマークを表示することができる。第１の複数の画面上選択可能アイコンの１つのユーザ選択に応答して、第２の複数の画面上選択可能アイコンを表示することができる。ユーザはさらに、第２の複数の画面上選択可能アイコンの１つを選択することができる。第２の複数の画面上選択可能アイコンの１つを選択したことに応答して視覚インジケータを表示し、選択されたアイコンを選択済みとして識別することができる。第２の複数の画面上選択可能アイコンの１つを識別するための視覚インジケータは第１の視覚インジケータと同じものであってもよく、或いは第１の複数の画面上選択可能アイコンの１つを識別するために使用される第１の視覚インジケータとは異なるものであってもよい。
【００１０】
視覚インジケータを表示して、第１の複数の画面上選択可能アイコンから選択されたアイコン、及び／又は第２の複数の画面上選択可能アイコンから選択されたアイコンに関連する設定手順が完了したことを示すことができる。設定手順の完了を示すための視覚インジケータは第１の視覚インジケータと同じものであってもよく、或いは第１の視覚インジケータとは異なるものであってもよい。例えば、設定手順の完了を識別するための視覚インジケータは、設定手順に関連する完了アイコンの直近に表示されるチェックマークであってもよい。
【００１１】
より詳細には、起動時にパーソナルコンピュータ（ＰＣ）を設定するためのグラフィカルユーザインターフェイス（ＧＵＩ）が、第１の複数の画面上選択可能アイコンを含むことができる。呼び出し時にプロセッサに関連設定手順を開始させる少なくとも１つのそれぞれの起動時設定手順に、第１の複数の画面上選択可能アイコンの各々を関連付けることができる。第１の複数の画面上選択可能アイコンの１つのユーザ選択に応答して、このアイコンを識別する第１の視覚インジケータを表示することができる。１つの実施形態によれば、第１の複数の画面上選択可能アイコンの１つのユーザ選択に関連する起動時設定手順の完了を識別する第２の視覚インジケータを表示することができる。ＧＵＩは、第１の複数の画面上選択可能アイコンを通じてナビゲーションを行うための、選択を取り消すための、及び上記起動を終了するための複数の画面上ナビゲーションアイコンをさらに含むことができる。
【００１２】
１つの実施形態によれば、ＧＵＩは、第１の複数の画面上選択可能アイコンの１つのユーザ選択に関連する第２の複数の画面上選択可能アイコンをさらに含むことができる。１つの例示的な実施形態では、第２の複数の画面上選択可能アイコンの各々が起動時設定手順に関連付けられる。第２の複数の画面上選択可能アイコンの１つのユーザ選択に応答して、第２の複数の画面上選択可能アイコンの１つを識別する第３の視覚インジケータを表示することができる。第３の視覚インジケータは第１の視覚インジケータと同じものであってもよい。
【００１３】
１つの実施形態では、ＧＵＩが、第２の複数の画面上選択可能アイコンの１つのユーザ選択に関連する起動時設定手順の完了を識別する第３の視覚インジケータをさらに表示することができる。１つの例示的な実施形態では、第３の視覚インジケータは第２の視覚インジケータと同じものであってもよい。システムは、設定を記憶し、完了した設定手順及びこれから完了させるべき設定手順を追跡することができる。従って、ユーザが起動ソフトウェアを再実行した場合、完了していない設定手順のみが実行されることにより、ユーザがいずれの設定手順を実行する必要があるかを記憶する必要はない。
【００１４】
１つの実施形態によれば、視覚インジケータを、点滅アイコン、強調表示アイコン、アイコン内の太字テキスト、アイコン内のテキストフォントの変更、及び第１の複数の画面上選択可能アイコンの直近のチェックマークからなる群から選択することができる。
【００１５】
本発明の実施形態を、同様の参照番号が同様の要素を示す添付図面の図に限定としてではなく例示として示す。
【図面の簡単な説明】
【００１６】
【図１Ａ】本発明の実施形態によるＧＵＩ上の例示的な操作を示す図である。
【図１Ｂ】本発明の実施形態によるＧＵＩ上の例示的な操作を示す図である。
【図１Ｃ】本発明の実施形態によるＧＵＩ上の例示的な操作を示す図である。
【図１Ｄ】本発明の実施形態によるＧＵＩ上の例示的な操作を示す図である。
【図１Ｅ】本発明の実施形態によるＧＵＩ上の例示的な操作を示す図である。
【図１Ｆ】本発明の実施形態によるＧＵＩ上の例示的な操作を示す図である。
【図１Ｇ】本発明の実施形態によるＧＵＩ上の例示的な操作を示す図である。
【図１Ｈ】本発明の実施形態によるＧＵＩ上の例示的な操作を示す図である。
【図１Ｉ】本発明の実施形態によるＧＵＩ上の例示的な操作を示す図である。
【図１Ｊ】本発明の実施形態によるＧＵＩ上の例示的な操作を示す図である。
【図２Ａ】本発明の１つの実施形態による例示的なシステム図である。
【図２Ｂ】本発明の１つの実施形態によるＧＵＩを表示するための例示的なコンピュータ制御方法のフロー図である。
【図３】本発明の実施形態のためのプラットフォームとして機能することができる例示的なコンピュータシステムの図である。
【図４Ａ】本発明の実施形態によるアプリケーションガイドツアーを示す図である。
【図４Ｂ】本発明の実施形態によるアプリケーションガイドツアーを示す図である。
【発明を実施するための形態】
【００１７】
以下、添付図面に例を示す本発明の実施形態について詳細に参照する。これらの実施形態と併せて本発明について説明するが、これらの実施形態は、本発明をこれらの実施形態に限定することを意図するものではない。むしろ、本発明は、添付の特許請求の範囲により定められる本発明の思想及び範囲内に含めることができる代替物、修正物、及び同等物を対象とすることを意図するものである。さらに、本発明の以下の詳細な説明では、本発明の完全な理解をもたらすために数多くの特定の詳細を示す。しかしながら、当業者には、これらの特定の詳細を伴わずに本発明を実施できることが明らかであろう。その他の例では、本発明を不必要に曖昧にしないように、周知の方法、手順、構成要素及び回路については詳細に説明していない。
【００１８】
表記及び名称
以下の詳細な説明の一部は、テレビのメモリ上で実行できる手順、ステップ、論理ブロック、処理、及び記号による動作表現の観点から提示するものである。これらの説明及び表現は、当業者が自らの研究内容を他の当業者に最も効果的に伝えるために使用する手段である。本明細書において及び一般的に、手順、テレビが実行するステップ、論理ブロック、処理等は、望ましい結果をもたらす首尾一貫した一連のステップであると考えられる。これらのステップは、物理量の物理的操作を必要とするものである。
【００１９】
必ずしもそうではないが、通常これらの量は、コンピュータシステム内で記憶、転送、合成、比較、及び別様に操作できる電気又は磁気信号の形をとる。主に共通使用という理由から、時にはこれらの信号をビット、値、要素、記号、文字、用語、番号などと呼ぶことが便利であることが分かっている。
【００２０】
しかしながら、これらの及び同様の用語の全ては、適当な物理量に関連付けられるべきものであり、またこれらの量に適用される便利な表記に過ぎないことに留意されたい。以下の説明から明らかなように、別途特記しない限り、本発明全体を通じて、「ｐｒｏｃｅｓｓｉｎｇ（処理する）」、「ｃｒｅａｔｉｎｇ（作成する）」、「ｔｒａｎｓｆｅｒｒｉｎｇ（転送する）」、「ｅｘｅｃｕｔｉｎｇ（実行する）」、「ｄｅｔｅｒｍｉｎｉｎｇ（決定する）」、「ｉｎｓｔｒｕｃｔｉｎｇ（命令する）」、「ｉｓｓｕｉｎｇ（発行する）」、「ｃｌｅａｒｉｎｇ（消去する）」、「ａｃｃｅｓｓｉｎｇ（アクセスする）」、「ａｇｇｒｅｇａｔｉｎｇ（集める）」、「ｏｂｔａｉｎｉｎｇ（取得する）」、「ｓｅｌｅｃｔｉｎｇ（選択する）」、「ｃａｌｃｕｌａｔｉｎｇ（計算する）」、「ｍｅａｓｕｒｉｎｇ（測定する）」、「ｑｕｅｒｙｉｎｇ（問い合わせる）」、「ｒｅｃｅｉｖｉｎｇ（受け取る）」、「ｓｅｎｄｉｎｇ（送る）」、「ｐｒｏｖｉｄｉｎｇ（提供する）」、「ｓｔｏｒｉｎｇ（記憶する）」、「ｄｉｓｐｌａｙｉｎｇ（表示する）」、又は「ｒｅｎｄｅｒｉｎｇ（表す）」などの用語を利用した説明は、テレビのレジスタ及びメモリ内の物理（電子）量として表されるデータを操作し、テレビのメモリ、レジスタ、又はその他のこのような情報記憶装置、情報伝達装置、又は情報表示装置内の物理量として同様に表される他のデータに変換するテレビ又は同様の電子コンピュータ装置の動作及び処理を意味する。
【００２１】
起動時にコンピュータシステムを設定するための方法及びシステム
まず図１Ａ〜図１Ｊを参照すると、本発明の実施形態によるＧＵＩ１００上における例示的な操作を示している。ＧＵＩ１００は、起動時に対象コンピュータシステム上に表示される（ネットワーク接続１１０、セキュリティ１２０、アプリケーション１３０、登録１４０、メモリバックアップ１５０、フィードバック１６０などの）複数の画面上選択可能アイコンを含むことができる。画面上選択可能アイコンのユーザ選択により、追加の画面上選択可能アイコンを表示することができ、及び／又は選択されたアイコンに関連する設定手順をプロセッサに開始させることができる。ユーザが、表示画面上でカーソル１１５の動きを制御するマウス、キーボード、ジョイスティックなどのいずれかの選択装置をインターフェイス接続することにより、画面上選択可能アイコンを選択することができる。
【００２２】
ＧＵＩ１００は、ユーザが様々な設定手順間でナビゲーションを行えるようにするための複数のナビゲーションアイコンをさらに含むことができる。例えば、この複数のナビゲーションアイコンは、次へ１７０アイコン、取消１８０アイコン、及び終了１９０アイコンを含むことができる。次へ１７０アイコンは、ユーザがネットワーク接続１１０などの次の設定手順へナビゲーションを行えるようにする。取消１８０アイコンは、直前の選択を取り消すことができ、終了１９０アイコンは、設定手順の現在の状態を保存してから設定手順を終了することができる。図示のナビゲーションアイコンは例示的なものであり、本発明の範囲を限定することを意図するものではない。
【００２３】
画面上選択可能アイコンの各々を、少なくとも１つの設定手順、又は共通タイプの起動手順の集合に関連付けることができる。例えば、ネットワーク接続１１０アイコンを、無線接続、有線接続、広域ネットワーク（ＷＡＮ）等に関連する設定手順に関連付けることができる。１つの実施形態では、セキュリティ１２０アイコンを、ウィルス対策、ファイアウォール、スパイウェア、指紋センサ、バイオメトリック情報、暗号化、パスワードなどのＰＣのセキュリティ機能の設定手順に関連付けることができる。
【００２４】
１つの実施形態によれば、アプリケーション１３０アイコンを、同じ種類の様々なアプリケーションプログラムの設定手順に関連付けることができる。例えば、アプリケーションプログラムの設定は、Ｍｉｃｒｏｓｏｆｔ  Ｗｏｒｄ（商標）、Ｍｉｃｒｏｓｏｆｔ  Ｅｘｃｅｌ（商標）、Ｑｕｉｃｋｂｏｏｋ（商標）、ｉＴｕｎｅｓ（商標）などのための設定手順を含むことができる。ＰＣ及び／又はアプリケーションを様々な販売元に登録するための設定手順には登録１４０アイコンを関連付けることができる。例えば、登録１４０は、フォームにユーザ情報、製品情報を自動で事前に読み込み、及び／又はユーザにオンラインフォームなどのフォームに情報を手動で入力するように要求した後でこの情報を適切な販売元に提出することができる。
【００２５】
本発明の１つの実施形態では、メモリバックアップ１５０アイコンを、例えば古いＰＣから新しいＰＣへ情報を転送するなどの、コンピュータ装置と現在のＰＣとの間で情報を転送するための設定手順に関連付けることができる。任意に、フィードバック１６０アイコンをユーザフィードバックに関連付けることができる。例えば、フィードバック１６０アイコンのユーザ選択に応答して、入力のためのフィードバックフォームをユーザに提示することができる。フィードバックフォームは、見込まれる回答を含む複数の選択式の質問をユーザに提示することができ、及び／又はユーザが、例えば自由回答式のフィードバックに入力を行ってこれをインターネットを介して転送できるようにすることができる。
【００２６】
この設定手順、及び設定手順とのユーザインタラクションを追跡することができる。設定手順の開始から９０日後などの一定の期間後に、フィードバックフォームを提示することができる。フィードバックフォームにユーザの固有情報を事前に読み込んで、ユーザがこの情報を重複入力しなくて済むようにすることができる。このフォームにより、ユーザが設定手順の様々な側面に関するフィードバックを提供できるようになる。提供されたフィードバックをデータベースへ送信し、ここでこれらの情報を記憶し分析して、ある設定手順に関する問題点のパーセンテージ、顧客満足度のパーセンテージ、設定手順を使用する顧客のパーセンテージなどの様々な統計情報を提供することができる。このようにして、統計分析を使用して設定手順を改善し、顧客満足度を向上させることができる。
【００２７】
１つの例示的な実施形態では、ユーザが、提示された順序で設定手順に沿って進みたいと望む場合がある。例えば、ユーザは、カーソル１１５をネットワーク接続１１０及び／又は次へ：ネットワーク接続１７０アイコンへ単純に移動させることができる。ネットワーク接続１１０及び次へ：ネットワーク接続１７０を強調表示にするなどの視覚インジケータを表示してユーザ選択を識別することができる。ユーザ選択を識別するための視覚インジケータは、選択されたアイコン内のテキストのフォントを変更したり、選択されたアイコンを点滅させたり、選択されたアイコン内のテキストのフォントを太字にしたり、選択されたアイコンの直近にチェックマークを表示したりなどのいずれの種類の視覚インジケータであってもよい。従って、図示及び説明する視覚インジケータは例示的なものであり、本発明の範囲を限定することを意図するものではない。
【００２８】
次に図１Ｂを参照すると、本発明の１つの実施形態による複数の追加の画面上選択可能アイコンを示しているが、これらは共通タイプのものであり、ユーザがネットワーク接続１１０を選択したことに応答して表示される。例えば、ユーザがネットワーク接続１１０を選択したことに応答して、追加の関連する画面上選択可能アイコン１１２及び１１４が表示される。画面上選択可能アイコン１１２を無線ネットワーク接続に関連する設定手順に関連付けることができる。画面上選択可能アイコン１１４をＤＳＬモデム、ケーブルモデム、又はダイアルアップモデムの接続に関する設定手順に関連付けることができる。画面上選択可能アイコン１１２又は１１４の選択により、選択されたアイコンに関連するＰＣの設定手順をプロセッサに開始させることができる。
【００２９】
ネットワーク接続１１０のユーザ選択に応答して、ネットワーク接続１１０に関連する追加の設定手順を表示することができる。従って、画面上選択可能アイコン１１２及び１１４の表示は例示的なものであり、本発明の範囲を限定することを意図するものではない。さらに、選択された画面上選択可能アイコンに関連する設定手順が１つしか存在しない場合には、この画面上選択可能アイコンに関連する設定手順をユーザ選択により直接開始することができる。
【００３０】
カーソル１１５を制御して画面上選択可能アイコン１１２又は１１４を選択するために、ユーザインターフェイス装置を使用することができる。ネットワーク接続１１０の選択により、ナビゲーションアイコンである次へアイコン１７０を更新して、開始すべき次の設定手順をセキュリティ１７２の設定手順として反映させることができる。従って次へアイコン１７２を選択することにより、プロセッサにセキュリティ設定手順を開始させ、又はこの手順に関連する追加の画面上選択可能アイコンを起動させることができる。
【００３１】
次に図１Ｃを参照すると、本発明の１つの実施形態による、無線ネットワークを設定するためのユーザ選択を示している。例えば、ユーザは、カーソル１１５をナビゲートしてアイコン１１２を選択することにより、起動時に無線ネットワークを設定するように選択を行うことができる。ユーザは、画面上選択可能アイコンのいずれか１つを選択することができる。従ってアイコン１１２の選択は例示的なものであり、本発明の範囲を限定するものと解釈すべきではない。例えば、ユーザは、メモリバックアップ１５０アイコンを選択することもでき、或いは、例えばＤＳＬモデム、ケーブルモデム、又はダイアルアップモデムの接続を設定するために１１４アイコンを選択することもできる。
【００３２】
選択を行ったことに応答して、選択されたアイコンを視覚インジケータ又は属性を使用して識別することができる。アイコン１１２の選択を識別するための視覚インジケータは、ネットワーク接続１１０の選択を識別するための視覚インジケータと同じものであってもよいし、或いは異なるものであってもよい。例えば、ユーザ選択されたアイコンを識別するために使用する視覚インジケータは、選択されたアイコンを強調表示したり、選択されたアイコン内のテキストのフォントを変更したり、選択されたアイコン内のテキストを太字にしたり、選択されたアイコンを点滅させたり、選択されたアイコンの直近にチェックマークなどのマークを表示したりすることができる。ユーザ選択に応答して、選択されたアイコンに関連する設定手順をプロセッサにより開始することができる。例えば、プロセッサは、無線ネットワーク接続に関連する設定手順を開始することができる。プロセッサにより開始される設定手順は、選択された機能を設定するための段階的な命令をＧＵＩに含めることができる。
【００３３】
次に図１Ｄを参照すると、本発明の１つの実施形態による、設定手順の完了を識別する視覚インジケータを示している。例えば、ユーザが無線ネットワークに関連する設定手順を完了した場合、無線ネットワークの設定手順に対応する画面上選択可能アイコンをチェックマーク１１７などの視覚インジケータによって識別することができる。
【００３４】
設定手順の完了を識別する視覚インジケータは、いずれの視覚インジケータであってもよい。例えば、設定手順の完了を識別するために使用する視覚インジケータは、画面上選択可能アイコンの選択を識別するために使用する強調表示とは異なる色の強調表示によるもの、アイコン内のテキストのフォントを変更することによるもの、アイコンの直近にアスタリスクを表示することによるものなどであってもよい。設定手順の完了を識別するために使用する視覚インジケータは、設定手順に関連するアイコンの選択を識別するために使用する視覚インジケータと同じものであってもよい。
【００３５】
引き続き図１Ｄを参照すると、ユーザは、ＤＳＬモデム、ケーブルモデム、又はダイアルアップモデムの設定に関連する設定手順を開始するために、画面上選択可能アイコン１１４を選択することができる。アイコン１１４を選択したことに応答して、図示のように選択可能アイコン１１４を強調表示することができる。上述したように、ユーザ選択を識別するために使用する視覚インジケータは、いずれの種類の視覚インジケータであってもよい。例えば、視覚インジケータは、アイコンを点滅させることによるもの、アイコン内のテキストのフォントを変更することによるもの、アイコン内のテキストを太字にすることによるものなどであってもよい。
【００３６】
ユーザは、選択可能アイコン１１４を選択せずに、設定手順の残りの要素に進むように選択を行うこともできる。例えば、ユーザは、アイコン１１４を選択せずにセキュリティ１２０アイコンを選択して、起動時におけるＰＣのセキュリティ機能に関連する設定手順を開始することができる。従って、ユーザがいずれの設定手順を選択して進むかについての順番は例示的なものであり、本発明の範囲を限定することを意図するものではない。さらに、ユーザは、ＤＳＬ接続に関連する設定手順を飛ばすなどして所定の設定機能を設定しないことを望むこともできる。
【００３７】
選択されたアイコン１１４に関連する設定手順が開始すると、ユーザはこの設定手順の全てのステップを経て設定手順を完了させることができる。次に図１Ｅを参照すると、本発明の１つの実施形態による、完了した設定手順に関連するアイコンを識別するためのチェックマーク１１７などの視覚インジケータを示している。例えば、ＤＳＬモデム、ケーブルモデム、又はダイアルアップモデムの接続に関連する設定手順が完了した時に、チェックマーク１１７をアイコン１１４の直近に表示することができる。上述したように、設定手順の完了を識別するための視覚インジケータはいずれの種類の視覚インジケータであってもよい。従って、視覚インジケータとしてのチェックマーク１１７の使用は例示的なものであり、本発明の範囲を限定するものと解釈すべきではない。
【００３８】
ＤＳＬモデム、ケーブルモデム、又はダイアルアップモデムの接続に関連する設定手順が完了すると、ネットワーク接続１１０に関連する全ての設定手順が完了する。従って、ネットワーク接続１１０に関連する設定手順の完了を識別するための視覚インジケータを、ネットワーク接続１１０の直近に表示することができる。この例示的な実施形態では、視覚インジケータをチェックマークとすることができるが、上述したように、視覚インジケータはいずれの視覚インジケータであってもよい。
【００３９】
次に図１Ｆを参照すると、本発明の１つの実施形態による次の設定手順のユーザ選択を示している。例えば、ユーザは、起動時におけるＰＣのセキュリティ機能に関連する次の設定手順を選択することができる。従って、ユーザは、次へ１７２ナビゲーションアイコンを選択するか、或いはセキュリティ１２０アイコンを直接選択するかのいずれかによってセキュリティ機能を選択することができる。セキュリティ機能を設定するためのユーザ選択に応答して、様々な設定手順に関連する追加の画面上選択可能アイコンを表示することができる。例えば、追加の画面上選択可能アイコンとして、ウィルス対策のためのアイコン、ファイアウォールのためのアイコン、スパイウェアのためのアイコン、バイオメトリック情報のためのアイコン、パスワード保護のためのアイコンなどを挙げることができる。しかしながら、セキュリティ機能が設定手順を１つしか有していない場合には、設定手順を直接開始することができる。
【００４０】
次に図１Ｇを参照すると、本発明の１つの実施形態による、起動時におけるＰＣのセキュリティ機能に関連する設定手順の完了を識別するために使用する視覚インジケータ１１７を示している。起動時におけるＰＣのセキュリティ設定手順一式に関連するセキュリティ１２０アイコンの直近に、チェックマーク１１７などの視覚インジケータを表示することができる。上述したように、設定手順の完了を識別するための視覚インジケータは、点滅アイコンなどのいずれの種類の視覚表示であってもよい。
【００４１】
次へ１７３ナビゲーションアイコンを更新して、開始すべき次の設定手順を反映させることができる。例えば、開始すべき次の設定手順はアプリケーションに関連するものであってもよい。ここではナビゲーションアイコンが、この時点で完了しているネットワーク接続１１０に関連する前回の設定手順アイコン１７１を含むことができる。
【００４２】
次に図１Ｈを参照すると、ユーザは、登録１４０アイコンを選択してアプリケーション１３０に関連する設定手順を飛ばすことができる。これに応じて、登録１４０アイコンを強調表示などにより選択済みとして視覚的に示すことができる。しかしながら、上述したように、視覚インジケータは、アイコンを点滅させたり、アイコン内のテキストのフォントを変更したりなどのいずれの種類の視覚インジケータであってもよい。次へナビゲーションアイコン１７６を更新して、開始すべき次の設定手順を登録１４０の設定手順の次の設定手順として反映させることができる。従って、次へナビゲーションアイコン１７６は、メモリバックアップに関連する設定手順を示す。前へナビゲーションアイコン１７３を更新して、登録１４０の設定の前の設定手順を反映させることもできる。例えば、前へナビゲーションアイコン１７３を更新して、登録１４０の設定手順の前のアプリケーションに関連する設定手順を反映させることができる。
【００４３】
次に図１Ｉを参照すると、登録１４０のユーザ選択に応答して登録フォーム１４２を提示することができる。登録フォームは、例えば、ユーザの名前、名字、住所、ＰＣの型番、ＰＣのシリアル番号、及び購入日を含むことができる。説明した登録フォームは例示的なものであり、本発明の範囲を限定することを意図するものではない。登録フォームに上記のデータのいくつかを事前に読み込んで、ユーザが追加情報を提供するようにしてもよい。
【００４４】
次に図１Ｊを参照すると、本発明の１つの実施形態による設定手順を終了するためのユーザ選択を示している。例えば、ユーザは、終了１９０アイコンを選択することにより設定手順を終了することができる。終了アイコン１９０を選択することにより、ユーザが中断した場所から再び開始できるようにその時点までの設定手順を保存することができる。ユーザが本当に設定手順の終了を望んでいることを確認するようにユーザを促すことができる。例えば、ユーザが設定手順の終了を望んでいるかどうかをユーザに問うウィンドウ１９２を表示することができる。
【００４５】
コンピュータシステムは、うまく実行された起動手順を追跡することができる。さらに、コンピュータシステムは、うまく実行されなかった、及び／又はユーザにより飛ばされた起動手順を追跡することもできる。従って、ユーザが起動ソフトウェアを再実行した時には、うまく完了しなかった、又は飛ばされた設定手順が再実行されるため、ユーザはいずれの設定手順を実行する必要があるかを記憶しなくて済む。
【００４６】
図２Ａは、本発明の１つの実施形態による例示的なシステム図２００Ａを示している。システム２００Ａは、設定手順ライブラリ２１６、現在の設定状態２１２、ＧＵＩ２１４、設定追跡２１７構成要素、ユーザインターフェイス２１８、及びコンピュータ設定ハードウェア／ソフトウェア２２２を含むことができる。設定手順ライブラリ２１６は、ユーザ選択時に開始及び実行すべき設定手順を記憶することができる。ライブラリ内に記憶される設定手順は、上述したように、ネットワーク接続、セキュリティ、アプリケーション、登録、メモリバックアップなどに関連する設定手順であってもよい。
【００４７】
ＧＵＩ２１４は、ユーザが望ましい設定手順を選択して実行するために設定手順ライブラリ２１６とやりとりできるようにする。ユーザは、ユーザインターフェイス２１８を使用してＧＵＩ２１４とやりとりすることができる。ユーザインターフェイス２１８として、例えば、マウス、キーボード、ジョイスティックなどを挙げることができる。設定手順ライブラリ２１６は、現在の設定状態２１２と通信することができる。現在の設定状態２１２は、うまく完了した設定手順及び未だ完了していない設定手順を追跡し続けることができる。現在の設定状態２１２は、この追跡情報をＧＵＩ２１４に通信することができる。これに応じて、ＧＵＩ２１４が視覚インジケータを使用して、現在の設定状態２１２による追跡を反映させることができる。このようにして、うまく完了しなかった、又は飛ばされた設定手順のみが実行されることにより、ユーザはいずれの設定手順を実行する必要があるかを記憶しなくて済む。
【００４８】
設定手順ライブラリ２１６をコンピュータ設定ハードウェア／ソフトウェア２２２に結合することができる。従って、設定手順ライブラリ２１６内の設定手順の１つのユーザ選択に応答して、設定手順ライブラリ２１６に結合された適切なハードウェア／ソフトウェアが設定される。
【００４９】
設定追跡構成要素２１７は、設定手順中のやりとりを追跡することができる。例えば、追跡構成要素２１７は、ユーザインターフェイス２１８を介したＧＵＩ２１４とのやりとり、及びこれに応答して、設定手順ライブラリ２１６とのやりとりを追跡することができる。同様に設定追跡構成要素２１７は、現在の設定状態２１２とＧＵＩ２１４との間の通信を追跡する一方で、設定手順ライブラリ２１６と現在の設定状態２１２との間のやりとりをモニタ及び追跡することができる。追跡情報をネットワーク２１９を介して送信し、データベース２２１に記憶し、分析することができる。追跡情報の統計分析は、顧客満足度を向上させるための及び設定手順を改善するための見識を提供することができる。例えば、ＧＵＩを使用して設定手順をうまく完了させた顧客のパーセンテージを追跡したり、設定手順のある局面で問題を抱えた顧客のパーセンテージを追跡したりすることができる。このようにして、顧客満足度及び製品提供を向上させることができる。
【００５０】
図２Ｂは、本発明の１つの実施形態による、画面上ＧＵＩを表示するための例示的な方法２００Ｂのフロー図を示している。ステップ２１０において、第１の複数の画面上選択可能アイコンを表示することができる。画面上選択可能アイコンの各々を、起動時におけるＰＣの少なくとも１つの設定手順に関連付けることができる。１つの実施形態によれば、上述したように、第１の複数の画面上選択可能アイコンは、ネットワーク接続１１０、セキュリティ１２０、アプリケーション１３０、登録１４０、及びメモリバックアップ１５０を含むことができる。アイコンは、上述したようにフィードバック１６０アイコンをさらに含むことができる。ユーザがアイコンを選択したことに応答して、プロセッサが、選択されたアイコンに関連する設定手順を開始することができる。
【００５１】
ステップ２２０において、上述したように、次へアイコン、前へアイコン、取消アイコン、終了アイコンなどの複数の画面上ナビゲーションアイコンを表示することができる。従って、これらの複数の画面上ナビゲーションアイコンを使用して、第１の複数の画面上選択可能アイコンに関連する様々な設定手順の間でナビゲーションを行うことができる。
【００５２】
ステップ２３０において、第１の複数の画面上選択可能アイコンの１つのユーザ選択に応答して、第１の視覚インジケータを表示することができる。第１の視覚インジケータを使用してユーザ選択を識別することができる。例えば、上述したように、選択されたアイコンを強調表示したり、選択されたアイコン内のテキストのフォントを変更したり、選択されたアイコンを点滅させたりすることができる。１つの実施形態では、選択されたアイコンの直近にチェックマーク、アスタリスクなどの第１の視覚インジケータを表示することにより、選択されたアイコンを識別することができる。上述したように、第１の視覚インジケータはいずれの種類の視覚表示であってもよく、視覚表示の形としての強調表示アイコンは例示的なものであり、本発明の範囲を限定することを意図するものではない。
【００５３】
ステップ２４０において、第１の複数の画面上選択可能アイコンのユーザ選択に応答して、共通タイプの第２の複数の画面上選択可能アイコンを表示することができる。１つの実施形態では、第１の複数の画面上選択可能アイコンに属する選択されたアイコンが、このアイコンに関連する複数の設定手順を有する場合に、第２の複数の画面上選択可能アイコンを表示することができる。複数の設定手順を有していない場合には、第１の複数の画面上選択可能アイコンからアイコンを選択することにより、選択されたアイコンに関連する設定手順を直接開始することができる。
【００５４】
ステップ２５０において、第２の複数の画面上選択可能アイコンの１つのユーザ選択に応答して第２の視覚インジケータを表示することができる。第２の視覚インジケータを使用して、選択されたアイコンを識別することができる。上述したように、選択されたアイコンを強調表示したり、選択されたアイコン内のテキストのフォントを変更したり、選択されたアイコンを点滅させたりすることができる。１つの実施形態では、選択されたアイコンの直近にチェックマーク、アスタリスクなどの第２の視覚インジケータを表示することにより、選択されたアイコンを識別することができる。上述したように、第２の視覚インジケータはいずれの種類の視覚表示であってもよく、視覚表示の形としての強調表示アイコンは例示的なものであり、本発明の範囲を限定することを意図するものではない。第１の視覚インジケータと第２の視覚インジケータとは同じものであってもよく、或いは互いに異なるものであってもよい。
【００５５】
ステップ２６０において、第１の複数の画面上選択可能アイコンの１つ、及び／又は第２の複数の画面上選択可能アイコンの１つのユーザ選択により、選択されたアイコンに関連する設定手順をプロセッサに開始及び実行させることができる。開始された設定手順は、設定手順を通じてユーザを時系列で導くことができる。
【００５６】
ステップ２７０において、起動時設定手順の完了に応答して第３の視覚インジケータを表示することができる。この設定手順の完了を、第１の複数の画面上選択可能アイコンから選択されたアイコン、及び／又は第２の複数の画面上選択可能アイコンから選択されたアイコンに関連付けることができる。第３の視覚インジケータを使用して、完了した設定手順を識別することができる。１つの実施形態によれば、第３の視覚インジケータは、第１及び第２の視覚インジケータとは異なるものであってもよい。また一方、第３の視覚インジケータは、第１の視覚インジケータ及び／又は第２の視覚インジケータと同じものであってもよい。
【００５７】
上述したように、この完了した設定手順に関連する選択されたアイコンを強調表示したり、選択されたアイコン内のテキストのフォントを変更したり、選択されたアイコンを点滅させたりすることができる。１つの実施形態では、完了した設定手順に関連する選択されたアイコンの直近にチェックマーク１１７、アスタリスクなどの第３の視覚インジケータを表示することにより、完了した設定手順に関連する選択されたアイコンを識別することができる。上述したように、第３の視覚インジケータはいずれの種類の視覚表示であってもよく、視覚表示の形としてのチェックマークは例示的なものであり、本発明の範囲を限定することを意図するものではない。
【００５８】
コンピュータシステムは、うまく実行された起動手順を追跡することができる。さらに、コンピュータシステムは、うまく実行されなかった、及び／又はユーザにより飛ばされた起動手順を追跡することもできる。従って、ユーザが起動ソフトウェアを再実行した時には、うまく完了しなかった、又は飛ばされた設定手順が再実行されるため、ユーザはいずれの設定手順を実行する必要があるかを記憶しなくて済む。
【００５９】
図３は、本発明の実施形態のためのプラットフォームとして機能することができる例示的なコンピュータシステム３００を示している。例示的なコンピュータシステム３００は、図１Ａ〜図１Ｊに示すようなＧＵＩをコンピュータディスプレイ上に表示するための、図２Ｂに示すような処理を実行することができ、バス３０２又は情報を通信するためのその他の通信機構、及び情報を処理するための、バス３０２に結合されたプロセッサ３０４を含む。
【００６０】
例示的なコンピュータシステム３００はまた、情報及びプロセッサ３０４により実行される命令を記憶するための、バス３０２に結合されたランダムアクセスメモリ（ＲＡＭ）又はその他の動的記憶装置などのメインメモリ３０６も含む。メインメモリ３０６を使用して、プロセッサ３０４により実行される命令の実行中に、一時的変数又はその他の中間情報を記憶することもできる。例示的なコンピュータシステム３００は、プロセッサ３０４のための静的情報及び命令を記憶するための、バス３０２に結合された読み取り専用メモリ（ＲＯＭ）３０８又はその他の静的記憶装置をさらに含む。情報及び命令を記憶するための、及び持続的内部キューを記憶することができる磁気ディスク又は光ディスクなどの不揮発性記憶装置３１０が設けられ、バス３０２に結合される。１つの実施形態によれば、（ＲＡＭ、ＲＯＭ、不揮発性記憶装置などの）メモリ構成要素のいずれか１つに、仮想装置を実行するための命令を記憶することができる。例示的なコンピュータシステム３００を、コンピュータユーザに情報を表示するためのブラウン管（ＣＲＴ）などのディスプレイ３１２にバス３０２を介して結合することができる。１つの実施形態によれば、コンピュータシステム３００は、通信インターフェイス３１８を介して（単複の）ネットワークを通じてメッセージを送受信することができる。
【００６１】
本明細書で使用する「コンピュータ可読媒体」という用語は、実行用の命令をプロセッサ３０４に提供することに関与するあらゆる媒体を意味する。このような媒体は、以下に限定されるわけではないが、不揮発性媒体、揮発性媒体、及び伝送媒体を含む多くの形をとることができる。不揮発性媒体としては、例えば、記憶装置３１０などの光ディスク又は磁気ディスクが挙げられる。揮発性媒体としては、メインメモリ３０６などの動的メモリが挙げられる。伝送媒体としては、バス３０２を構成する配線を含む、同軸ケーブル、銅線、及び光ファイバが挙げられる。伝送媒体はまた、無線又は赤外線によるデータ通信中に発生するような音波又は光波の形をとることもできる。
【００６２】
コンピュータ可読媒体の一般的な形としては、例えば、フロッピー（登録商標）ディスク、フレキシブルディスク、ハードディスク、磁気テープ、又はその他のあらゆる磁気媒体、ＣＤ−ＲＯＭ、その他のあらゆる光媒体、パンチカード、紙テープ、孔パターンを有するその他のあらゆる物理媒体、ＲＡＭ、ＰＲＯＭ、及びＥＰＲＯＭ、ＦＬＡＳＨ−ＥＰＲＯＭ、その他のあらゆるメモリチップ又はカートリッジ、以下で説明する搬送波、或いはコンピュータ又はテレビが読み取ることができるその他のあらゆる媒体が挙げられる。
【００６３】
次に図４Ａ及び図４Ｂを参照すると、本発明の実施形態によるアプリケーションガイドツアーを示している。図４Ａは、図１に関して上述したＧＵＩ１００を示している。さらに、図４Ａは、複数の選択可能アイコン４１０を示している。複数の選択可能アイコン４１０は、購入し、その後開始することができるアプリケーションである。１つの実施形態によれば、複数の選択可能アイコン４１０をＧＵＩ１００に対して５０％透明にすることができる。しかしながら、あらゆる透明度の量を使用することができ、５０％の透明度の使用は例示的なものであり、本発明の範囲を限定することを意図するものではない。
【００６４】
次に図４Ｂを参照すると、複数の選択可能アイコン４１０に関連するアプリケーションについて学習するという選択枝をユーザに提示することができる。ユーザが、「Ｏｔｈｅｒ  Ｓｏｎｙ  Ｏｆｆｅｒｓ（その他のＳｏｎｙからの提供）」に関連する設定手順を開始した場合、設定手順中にユーザにポップアップウィンドウ４２０を提示することができる。ユーザが、図１Ａ〜図１Ｊ内のアプリケーション１３０に関連する設定手順を開始した場合にも、設定手順中にユーザにポップアップウィンドウ４２０を提示することができる。ポップアップウィンドウ４２０は、ユーザが、複数の選択可能アイコン４１０に関連するアプリケーションについて学習したいかどうかを選択できるようにする。１つの実施形態では、ユーザが学習ガイドツアーを取り消さない場合、ポップアップウィンドウ４２０に関連する学習ガイドツアーが自動的に開始される。他の実施形態では、ユーザに、学習ガイドツアーを開始するか、或いは設定手順を再開するかの選択を行うように要求することができる。
【００６５】
ユーザが学習ガイドツアーを開始した場合、選択可能アイコン４１０の各々に関する情報をユーザに提示することができる。例えば、ユーザが複数の選択可能アイコン４１０の間でカーソルを移動させた場合、所与の選択可能アイコン４１０及びこれらの機能に関する教育情報をポップアップウィンドウ４３０を介して提示することができる。１つの実施形態では、カーソルが１つの選択可能アイコンから別のアイコンへ移動したときに、このカーソルに関連する選択可能アイコンが、その他の選択可能アイコン４１０に対して不透明になる。１つの実施形態によれば、選択可能アイコン４１０に関連する、ユーザに選択可能アイコン４１０の様々な機能を教育するアニメーションを開始することができる。ポップアップウィンドウ４２０及び４３０を介した様々な情報の提示は例示的なものであり、本発明の範囲を限定することを意図するものではない。例えば、同じウィンドウ内に情報を表示したり、スピーカ装置を介して情報を提供したりすることができる。
【００６６】
複数の選択可能アイコン４１０の各々に関連するアプリケーションを購入するための選択肢をユーザに提示することができる。さらに、ユーザは、購入したライセンスを有効にすること、又は所与のアプリケーションに関連するユーザ用試供品を作動させることを選択することができる。上述したような設定手順の追跡と同様に、アプリケーションガイドツアーとのユーザインタラクションを追跡することができる。例えば、学習ガイドツアーを開始した顧客のパーセンテージなどの、複数の選択可能アイコン４１０の各々とのユーザインタラクションを追跡することができる。同様に、例えば、ユーザ用試供品のユーザによる作動を追跡することができる。上述したように、追跡情報をデータベースへ送信し、ここでこれらの情報を記憶し、分析することができる。分析されたデータを使用して、顧客満足度及び製品提供を向上させることができる。
【００６７】
上述の明細書では、実施構成ごとに異なり得る数多くの特定の詳細を参照しながら本発明の実施形態について説明した。従って、本発明が何であるか、及び本出願人が何を本発明であると意図するかを示す唯一の独占的なものは、本出願から発生する特定の形の請求項の組であり、この特定の形において以後のあらゆる補正を含むこのような請求項が発生する。従って、請求項に明確に列挙していない限定、要素、特性、特徴、利点、又は属性が、このような請求項を決して限定すべきではない。従って、本明細書及び図面は限定的な意味ではなく例示的な意味で捉えるべきである。
【符号の説明】
【００６８】
２００Ｂ  方法
２１０  第１の複数の画面上選択可能アイコンを表示
２２０  第１の複数の画面上選択可能アイコン間でナビゲーションを行うための、選択を取り消すための、及び起動を終了するための複数の画面上ナビゲーションアイコンを表示
２３０  第１の複数の画面上選択可能アイコンの１つのユーザ選択に応答して、このユーザ選択を識別する第１の視覚インジケータを表示
２４０  第１の複数の画面上選択可能アイコンの１つのユーザ選択に応答して、共通タイプの第２の複数の画面上選択可能アイコンを表示
２５０  第２の複数の画面上選択可能アイコンの１つのユーザ選択に応答して、このユーザ選択を識別する第２の視覚インジケータを表示
２６０  選択された起動手順を実行
２７０  第１及び／又は第２の複数の画面上選択可能アイコンの１つのユーザ選択に関連する起動時設定手順の完了に応答して、この設定プロシージャの完了を識別する第３の視覚インジケータを表示
【図１Ａ】
2011507097.tif 000003
【図１Ｂ】
2011507097.tif 000004
【図１Ｃ】
2011507097.tif 000005
【図１Ｄ】
2011507097.tif 000006
【図１Ｅ】
2011507097.tif 000007
【図１Ｆ】
2011507097.tif 000008
【図１Ｇ】
2011507097.tif 000009
【図１Ｈ】
2011507097.tif 000010
【図１Ｉ】
2011507097.tif 000011
【図１Ｊ】
2011507097.tif 000012
【図２Ａ】
2011507097.tif 000013
【図２Ｂ】
2011507097.tif 000014
【図３】
2011507097.tif 000015
【図４Ａ】
2011507097.tif 000016
【図４Ｂ】
2011507097.tif 000017
【国際調査報告】
2011507097.tif 000018